(57)【要約】      （修正有）【課題】細くて長い導光条がこれらの押圧ユニットに光線を有効かつ均一に投射できないという問題を解決できる発光キーボードを提供する。【解決手段】複数の押圧ユニット１１１と、これらの押圧ユニット１１１を受ける基板１２と、を備え、各平行列にある複数の押圧ユニット１１１を一つの押圧ユニット集合とし、各押圧ユニット集合と基板１２の間隔区域を垂直投影区域１２０とする。さらに、互いに隣接する押圧ユニット集合同士の間にある空間を水平組付空間１１０とするボタン部と、基板１２の上方に設けられて互いに隣接する押圧ユニット集合同士の間には、水平組付空間１１０に位置する導光部２１と、垂直投影区域１２０に位置する二つの光源投射部２２と、を設ける。また、光源投射部２２は、押圧ユニット集合に光源を投射する少なくとも一対の透光区域２３を有する少なくとも一つの導光材２０と、を備える。【選択図】図２
0003175059.tif 000002
【実用新案登録請求の範囲】
【請求項１】
複数の押圧ユニット（１１１）と、これらの前記押圧ユニット（１１１）を受け、前記押圧ユニット（１１１）が触発変位ストロークを行えるように位置する基板（１２）と、を備え、各平行列にある複数の前記押圧ユニット（１１１）を一つの押圧ユニット集合（１１）とし、前記各押圧ユニット集合（１１）と前記基板（１２）の間隔区域を垂直投影区域（１２０）とし、互いに隣接する前記押圧ユニット集合（１１）同士の間にある空間を水平組付空間（１１０）とするボタン部（１０）と、
前記基板（１２）の上方に設けられ、前記水平組付空間（１１０）に位置する導光部（２１）と、前記垂直投影区域（１２０）に位置する二つの光源投射部（２２）と、が設けられ、前記光源投射部（２２）は、前記押圧ユニット集合（１１）に光源を投射する少なくとも一対の透光区域（２３）を有し、これにより、前記導光部（２１）に伝導される光線は、前記光源投射部（２２）にある前記透光区域（２３）を経由して、前記垂直投影区域（１２０）に投射されて、前記押圧ユニット集合（１１）が均一の輝度を有する少なくとも一つの導光材（２０）と、
を含むことを特徴とする発光キーボード。
【請求項２】
前記導光材（２０）は、前記光源投射部（２２）の表面に位置して前記透光区域（２３）を排除する透光不能区域（２４）を含むことを特徴とする、請求項１に記載の発光キーボード。
【請求項３】
前記透光区域（２３）は、これらの前記押圧ユニット（１１１）にそれぞれ対応する複数の光射出溝（２３１）を含み、前記導光部（２１）に伝導される光線は、前記光射出溝（２３１）に集光されて、これらの前記押圧ユニット（１１１）に投射することを特徴とする、請求項１に記載の発光キーボード。
【請求項４】
前記光射出溝（２３１）の深さは、外部光源（３０）に近接する箇所から、前記外部光源（３０）から遠く離れるに従って徐々に増加し、前記光射出溝（２３１）の断面形状は、多辺形、半円形状、又は不規則形状を呈することを特徴とする、請求項３に記載の発光キーボード。
【請求項５】
前記押圧ユニット（１１１）は、キャップ（１１２）と、前記キャップ（１１２）と前記基板（１２）の間に位置する連動手段（１１３）と、前記連動手段（１１３）内に設けられる弾性子（１１４）と、を含み、前記弾性子（１１４）により回復力が前記キャップ（１１２）に与えられ、これにより、前記押圧ユニット（１１１）は前記基板（１２）に対して前記触発変位ストロークを行うことができることを特徴とする、請求項１に記載の発光キーボード。
【請求項６】
前記ボタン部（１０）は回路板（１４）を含み、前記回路板（１４）は、前記基板（１２）と前記キャップ（１１２）の間に位置し、前記キャップ（１１２）が前記触発変位ストロークを行ったときに出力指令を発生することを特徴とする、請求項５に記載の発光キーボード。
【請求項７】
前記回路板（１４）は、前記基板（１２）の下方に設けられ、その下方に底板（１５）が設けられることを特徴とする、請求項６に記載の発光キーボード。
【請求項８】
前記導光材（２０）は、前記基板（１２）の上方に設けられ、その少なくとも一端には、前記導光材（２０）に光線を導入する前記外部光源（３０）が配されることを特徴とする、請求項１に記載の発光キーボード。
【考案の詳細な説明】
【技術分野】
【０００１】
本考案は、発光キーボードに関し、特に、輝度が高くかつ均一である発光キーボードに関するものである。
【背景技術】
【０００２】
キーボードは、コンピュータに指令を入力するための装置であり、その設計の重点は、ユーザが快適で正確に指令を入力できることにある。しかし、キーボードのキャップにある符号及び文字の配置を熟練していないユーザにとって、指令を迅速に入力することは困難である。また、暗い環境でキーボードのキャップにある符号及び文字をはっきりと識別できるようにするために、ある業者は発光キーボードを開発した。
【０００３】
従来の発光キーボードは、導光板を発光子とするものがある。このような発光キーボードとしては、例えば特許文献１の米国特許ＵＳ６，６４８，５３０号、特許文献２の米国特許ＵＳ６，８６０，６１２号、特許文献３の米国特許ＵＳ７，５３１，７６４号、特許文献４の台湾特許第５０９９５５号、特許文献５の台湾特許第５１６６７１号、特許文献６の台湾特許第５８７８００号及び特許文献７の台湾特許第５９４５４６号などが提案された。このような発光キーボードは、大量の発光ダイオードの代わりに、エレクトロルミネセンスシート（Ｅｌｅｃｔｒｏｌｕｍｉｎｅｓｃｅｎｔ  Ｓｈｅｅｔ）及び光ファイバ（Ｏｐｔｉｃａｌ  Ｆｉｂｅｒ  ｐａｎｅｌ）などの発光バックシートを採用する。このような発光キーボードによれば、単一の発光バックシートによりキーボードを均一に発光するため、部品の点数を減少でき、組付作業のプロセス及びコストを減少できる。
【０００４】
上記の導光板の他に、導光条を発光子とする発光キーボードもある。導光条を発光子とする発光キーボードは、例えば特許文献８の台湾特開第２０１１１５６０９号が提案された。これは、キーボード部と、導光部と、を含む。前記キーボード部は、複数のキャップと、これらの前記キャップを受ける基板と、前記キャップと前記基板の間にある活動空間と、を含む。前記導光部は、少なくとも一つの透光不能区域と、少なくとも一つの透光区域と、を含む。前記透光区域は、予定の角度で前記キーボード部に光線を投射する。
【０００５】
上記の実施形態では、導光部がキャップと基板の間に設けられ、キャップが自在に上下動できる活動空間を有するため、従来のキーボード内にある空間を充分に利用して発光の効果を得ることができ、導光板を発光子とする従来の発光キーボードに比べると、厚さがより薄く、重量がより軽い。しかし、上記の実施形態によれば、導光条が複数列の押圧ユニット集合の間に設けられ、導光条の構造が細くて長いため、導光条の表面にある透光区域が押圧ユニット集合の下方に位置しないことにより、透光区域が予定の角度で光線を押圧ユニット集合に投射するときに、一部の光線が押圧ユニット集合以外に投射されてしまう。このように、発光キーボードの発光の輝度は不足する。
【０００６】
上記の問題を解決するために、特許文献９の中国特開ＣＮ２０１６８１７４７号が提案された。これは、導光条から複数の分枝が延び、これらの前記分枝は、各押圧ユニットの下方に延びて、対応する押圧ユニットに光線を直接に投射する。しかし、各分枝が単一の押圧ユニットだけに対応するため、前記導光条には、これらの押圧ユニットの数量に対応する分枝を設けることが必要である。そうすると、前記導光条を作製するコストが大幅に増加する。一方、押圧ユニットに投射する光線は、当該押圧ユニットに対応する分枝から射出される。なお、作製プロセスにより、各分枝の光線射出効率が異なるため、これらの前記押圧ユニットの輝度はそれぞれ異なる。
【先行技術文献】
【特許文献】
【０００７】
【特許文献１】米国特許第６，６４８，５３０号公報
【特許文献２】米国特許第６，８６０，６１２号公報
【特許文献３】米国特許第７，５３１，７６４号公報
【特許文献４】台湾特許第５０９９５５号公報
【特許文献５】台湾特許第５１６６７１号公報
【特許文献６】台湾特許第５８７８００号公報
【特許文献７】台湾特許第５９４５４６号公報
【特許文献８】台湾特開第２０１１１５６０９号公報
【特許文献９】中国特開第２０１６８１７４７号公報
【考案の概要】
【考案が解決しようとする課題】
【０００８】
本考案の主な目的は、細くて長い導光条が多数の押圧ユニットに光線を有効かつ均一に投射できないという問題を解決できる発光キーボードを提供することにある。
【課題を解決するための手段】
【０００９】
本考案の発光キーボードによると、複数の押圧ユニット１１１と、これらの押圧ユニット１１１を受け、押圧ユニット１１１が触発変位ストロークを行えるように位置する基板１２と、を備え、各平行列にある複数の押圧ユニット１１１を一つの押圧ユニット集合１１とし、各押圧ユニット集合１１と基板１２の間隔区域を垂直投影区域１２０とし、互いに隣接する押圧ユニット集合１１同士の間にある空間を水平組付空間１１０とするボタン部１０と、基板１２の上方に設けられ、水平組付空間１１０に位置する導光部２１と、垂直投影区域１２０に位置する二つの光源投射部２２と、が設けられ、光源投射部２２は、押圧ユニット集合１１に光源を投射する少なくとも一対の透光区域２３を有し、これにより、導光部２１に伝導される光線は、光源投射部２２にある透光区域２３を経由して、垂直投影区域１２０に投射されて、押圧ユニット集合１１が均一の輝度を有する少なくとも一つの導光材２０と、を含むことを特徴とする。
【００１０】
本考案の発光キーボードによると、導光材２０は、光源投射部２２の表面に位置して透光区域２３を排除する透光不能区域２４を含むことを特徴とする。
【００１１】
本考案の発光キーボードによると、透光区域２３は、これらの押圧ユニット１１１にそれぞれ対応する複数の光射出溝２３１を含み、導光部２１に伝導される光線は、光射出溝２３１に集光されて、これらの押圧ユニット１１１に投射することを特徴とする。
【００１２】
本考案の発光キーボードによると、光射出溝２３１の深さは、外部光源３０に近接する箇所から、外部光源３０から遠く離れる箇所まで徐々に増加し、光射出溝２３１の断面形状は、多辺形、半円形状、又は不規則形状を呈することを特徴とする。
【００１３】
本考案の発光キーボードによると、押圧ユニット１１１は、キャップ１１２と、キャップ１１２と基板１２の間に位置する連動手段１１３と、連動手段１１３内に設けられる弾性子１１４と、を含み、弾性子１１４により回復力がキャップ１１２に与えられ、これにより、押圧ユニット１１１は基板１２に対して触発変位ストロークを行うことができることを特徴とする。
【００１４】
本考案の発光キーボードによると、ボタン部１０は回路板１４を含み、回路板１４は、基板１２とキャップ１１２の間に位置し、キャップ１１２が触発変位ストロークを行ったときに出力指令を発生することを特徴とする。
【００１５】
本考案の発光キーボードによると、回路板１４は、基板１２の下方に設けられ、その下方に底板１５が設けられることを特徴とする。
【００１６】
本考案の発光キーボードによると、導光材２０は、基板１２の上方に設けられ、その少なくとも一端には、導光材２０に光線を導入する外部光源３０が配されることを特徴とする。
【考案の効果】
【００１７】
本考案の発光キーボードによれば、次のような効果がある。
（１）本考案の導光材は、基板の上方に設けられて互いに隣接する押圧ユニット集合同士の間に設けられ、水平組付空間に位置する導光部と、垂直投影区域に位置する二つの光源投射部と、を含む。光源投射部は、押圧ユニット集合に光源を投射する少なくとも一対の透光区域と、光源投射部の表面に位置して透光区域を排除する透光不能区域と、を含む。押圧ユニット集合は各平行列にある複数の押圧ユニットから構成されるため、導光部に伝導される光線は、光源投射部にある透光区域を経由して、垂直投影区域に投射されて、押圧ユニット集合が均一の輝度を有する。
【００１８】
（２）透光区域は、更に、少なくとも一つの光射出溝を含む。光射出溝は、有効に集光でき、異なる立体形状により光線の投射方向を変化できる。このように、従来の発光キーボードに比べると、本考案の発光キーボードは、構成が簡単である導光材を利用して、大面積で均一である輝度を有する目的を達成でき、そして導光材に複数の光射出溝が設けられ、光射出溝により光線が集中されてこれらの押圧ユニットに投射し、これにより、輝度は高くかつ均一となる。
【図面の簡単な説明】
【００１９】
【図１】本考案の一実施例を示す発光キーボードの構造を示す分解斜視図である。
【図２】本考案の実施例１の発光キーボードの図１におけるＡ-Ａ線の断面図である。
【図３】本考案の実施例１の発光キーボードの図１におけるＢ-Ｂ線の断面図である。
【図４】本考案の実施例２の発光キーボードの図１におけるＢ-Ｂ線の断面図である。
【図５】本考案の実施例３の発光キーボードの導光材の一部の構造を示す拡大斜視図である。
【図６】本考案の光射出溝の深さが外部光源に近接する箇所から、外部光源から遠く離れるに従って徐々に増加する構造を示す断面図である。
【図７】本考案の実施例４の発光キーボードの図１におけるＡ-Ａ線の断面図である。
【考案を実施するための形態】
【００２０】
以下、本考案の実施の形態を図面に基づいて説明する。
（実施例１）
まず、図１を参照する。図１は本考案の一実施例を示す発光キーボードの構造を示す分解斜視図である。本実施例の発光キーボードは、ボタン部１０と、少なくとも一つの導光材２０と、を含む。ボタン部１０は、複数の押圧ユニット１１１と、これらの押圧ユニット１１１を受け、押圧ユニット１１１が触発変位ストロークを行えるように位置する基板１２と、を備える。各平行列にある複数の押圧ユニット１１１を一つの押圧ユニット集合１１とする。
【００２１】
押圧ユニット１１１は、符号や文字が設けられたキャップ１１２と、キャップ１１２及び基板１２と連接する連動手段１１３と、連動手段１１３内に設けられる弾性子１１４と、を含む。基板１２から離脱しないように、基板１２に押圧ユニット１１１を固定するために、基板１２には、連動手段１１３を固定する複数の定位部１２１が設けられる。
【００２２】
図２及び図３を参照する。図２は本考案の実施例１の発光キーボードの図１におけるＡ-Ａ線の断面図であり、図３は本考案の実施例１の発光キーボードの図１におけるＢ-Ｂ線の断面図である。キャップ１１２がユーザに押圧されると、弾性子１１４は、圧迫されて基板１２に設けられる貫通孔１２２を通過して、図２に示すように、基板１２の下方に設けられる回路板１４と接触する。これにより、回路板１４は出力指令を発生する。弾性子１１４は、圧迫されているときには、押圧方向と逆方向に回復力が発生することにより、キャップ１１２が付勢されて本来の位置に戻るという性質がある。本実施例では、ボタン部１０は、底板１５と、底板１５の上方に設けられる回路板１４と、回路板１４の上方に設けられる基板１２と、を含む。導光材２０は、基板１２の上方に設けられて互いに隣接する押圧ユニット集合１１同士の間に設けられ、光ファイバ、又は光線を伝導できる何れかのものを採用する。導光材２０の少なくとも一端には、光線を導光材２０に導入する外部光源３０が設けられる。本実施例では、外部光源３０が基板１２の上方に設けられる（図示せず）が、本考案はこれらに限定されない。外部光源３０は、エレクトロルミネセンスシート、発光ダイオード、又は光線を発生できる何れかのものを採用する。もちろん、導光材２０は、電力を受けて発光してもよく、そうすると、外部光源３０を省略できる。
【００２３】
本考案の技術的特徴をはっきりと説明するために、各押圧ユニット集合１１と基板１２の間隔区域を垂直投影区域１２０とし、互いに隣接する押圧ユニット集合１１同士の間にある空間を水平組付空間１１０とする。導光材２０は、水平組付空間１１０に位置する導光部２１と、垂直投影区域１２０に位置する二つの光源投射部２２と、を含む。光源投射部２２は、押圧ユニット集合１１に光源を投射する少なくとも一対の透光区域２３と、光源投射部２２の表面に位置して透光区域２３を排除する透光不能区域２４と、を含む。
【００２４】
透光区域２３が垂直投影区域１２０内に位置し、導光部２１に伝導される光線は、光源投射部２２にある透光区域２３を経由して、垂直投影区域１２０に投射されるため、押圧ユニット１１１以外の部分に投射する光線を減少でき、押圧ユニット集合１１が均一の輝度を有する。透光不能区域２４に、光線を吸収し、又は反射するコーティング層を設けてもよい。そうすると、導光部２１に伝導される光線は透光不能区域２４を通過できない。一方、押圧ユニット１１１の連動手段１１３と弾性子１１４は光を伝導可能な材料で作製されてもよく、基板１２の表面に、光線を反射できるコーティング層を設けてもよい。このように、垂直投影区域１２０において、光線が連動手段１１３及び弾性子１１４に吸収されてキャップ１１２に伝導し、そして基板１２により光線がキャップ１１２に反射されるため、キャップ１１２の輝度が更に増加する。
【００２５】
図１乃至図３を参照する。本実施例では、導光材２０が細くて長い矩形を呈し、透光区域２３が光源投射部２２の側面に設けられるが、本考案はこれらに限定されない。例えば透光区域２３は、光源投射部２２の垂直投影空間１２０内に位置する上面に設けられてもよい。すなわち、透光区域２３の位置は、ユーザの好みによって簡単に変更でき、これにより、押圧ユニット集合１１の特定の位置に光線を投射できる。本実施例では、光源投射部２２の側面に透光区域２３を設けると、複数の連動手段１１２と弾性子１１４に光線が直接投射される。なお、光源投射部２２の上面に透光区域２３を設けると、複数のキャップ１１１に光線が直接投射される。このように、必要によって発光キーボードの発光効果を変更できる。
【００２６】
透光区域２３が押圧ユニット集合１１に対応するため、導光材２０の両端に光源からの光線を入射するときに、導光部２１に伝導される光線は、透光区域２３を経由して垂直投影空間１２０に投射される。透光区域２３が一列の押圧ユニット集合１１に対応するため、ボタン部１０の複数の押圧ユニット１１１は高くかつ均一な輝度を有する。
【００２７】
（実施例２）
図４を参照する。図４は本考案の実施例２の発光キーボードの図１におけるＢ-Ｂ線の断面図である。導光材２０の透光区域２３は、図４に示すように、これらの押圧ユニット１１１にそれぞれ対応する少なくとも一つの光射出溝２３１を含む。光射出溝２３１の内壁面により、光線は、光射出溝２３１内に有効に集中されて、光射出溝２３１から外部に投射される。光射出溝２３１から外部に投射される光線の投射方向は、光射出溝２３１の立体形状を変化することにより変更できる。
【００２８】
（実施例３）
図５を参照する。図５は本考案の実施例３の発光キーボードの導光材の一部の構造を示す拡大斜視図である。透光区域２３は、図５に示すように、二種類の光射出溝２３１を含む。二種類の光射出溝２３１は、その導光材２０の軸心に垂直する断面形状がそれぞれ三角形と矩形を呈し、光源投射部２２の異なる位置にそれぞれ設けられる。光源投射部２２のエッジに設けられる光射出溝２３１の断面形状は三角形を呈する。このように、光線は光射出溝２３１から上方へ斜めに投射する。光源投射部２２の側面に設けられる光射出溝２３１の断面形状は矩形を呈する。このように、光線は光射出溝２３１から外部へ平行に投射する。光射出溝２３１の導光材２０の軸心に垂直する断面形状は、多辺形、半円形状、又は不規則形状を呈してもよい。透光区域２３に光射出溝２３１を設ける効果は、光線が光射出溝２３１に集中されて外部に射出でき、キーボードの異なる設計によって光射出溝２３１の位置を変化でき、そして光線の投射方向が光源投射部２２の立体形状に規制されないことにある。
【００２９】
一方、伝導の過程中に、光線が徐々に吸収され、又は発散されて輝度が減少するため、発光キーボードの外部光源３０に近接する部分と、外部光源３０から遠ざかった部分との輝度が著しく異なることがある。本考案はこのような状況を回避するために、図６に示すように、光射出溝２３１の深さは、外部光源３０に近接する箇所から、外部光源３０から遠く離れるに従って徐々に増加する。このように、より浅い光射出溝２３１の対応する集光区域がより小さく、より深い光射出溝２３１の対応する集光区域がより大きくなるため、発光キーボードの外部光源３０に近接する部分と外部光源３０から遠ざかった部分との輝度を均一に保つことができる。
【００３０】
また、市販している発光キーボードは二種類の形態があり、一つは図２乃至図４に示したものであり、もう一つは図７に示したものである。図７は本考案の実施例４の発光キーボードの図１におけるＡ-Ａ線の断面図である。図２乃至図４に示した発光キーボードは、導光材２０が基板１２の上方に設けられ、基板１２の下方に回路板１４が設けられ、回路板１４の下方には、更に、回路板１４を支持する底板１５が設けられる。図７に示した発光キーボードは、実施例４であって、導光材２０が回路板１４の上方に設けられ、基板１２が回路板１４の下方に設けられ、回路板１４が基板１２に支持されるため、底板１５を省略でき、ひいては薄型化にすることができる。上記以外の構造及び効果は前述の実施例１と同じであるため、説明を省略する。
【００３１】
このように、本考案が、特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよい。
【産業上の利用可能性】
【００３２】
本考案は、キーボードに適用することができる。
【符号の説明】
【００３３】
１０  ボタン部
１１  押圧ユニット集合
１２  基板
１４  回路板
１５  底板
２０  導光材
２１  導光部
２２  光源投射部
２３  透光区域
２４  透光不能区域
３０  外部光源
１１０  水平組付空間
１１１  押圧ユニット
１１２  キャップ
１１３  連動手段
１１４  弾性子
１２０  垂直投影空間
１２１  定位部
１２２  貫通孔
２３１  光射出溝
【図１】
0003175059.tif 000003
【図２】
0003175059.tif 000004
【図３】
0003175059.tif 000005
【図４】
0003175059.tif 000006
【図５】
0003175059.tif 000007
【図６】
0003175059.tif 000008
【図７】
0003175059.tif 000009